(57)【要約】【課題】発光面積を拡大し、光束密度を高めるとともに全光束効率を向上させる。【解決手段】両端部１ｄ，１ｅに電極が形成された直線状の発光管１を両端部１ｄ，１ｅが近接するように略中央部で折り返し、折り返した部分（折り返し部１ｆ）から端部１ｄまでと、折り返し部１ｆから端部１ｅまでをそれぞれ略直線形状とする。折り返し部１ｆから端部１ｄ，１ｅの方向に発光管１を２重螺旋状に変形させ、スパイラル部１ａを形成し、その内部に両端部１ｄ，１ｅを通し、２本の直線状の直線部１ｂ，１ｃを形成する。直線部１ｂは、スパイラル部１ａの内部に屈曲部１ｇで屈曲されて入り込み、スパイラル部１ａの外側に発光管１の端部１ｄを露出させる。同様に、直線部１ｃはスパイラル部１ａの内部に屈曲部１ｈで屈曲されて入り込み、スパイラル部１ａの外側に発光管１の端部１ｅが露出する。【選択図】図１
2010192176.tif 000002
【特許請求の範囲】
【請求項１】
１本の管から構成される発光管であって、
螺旋状に屈曲した管が折り返されて二重螺旋構造を形成する二重螺旋管部と、
前記二重螺旋管部の両端部とそれぞれの一端が繋がり、前記二重螺旋構造の内部を通って直線状に延存し、それぞれの他端には電極が形成されている２本の直線状管部と、
を備えることを特徴とする発光管。
【請求項２】
前記二重螺旋管部は、
螺旋状に屈曲した第１の螺旋部と、
前記第１の螺旋部の端部と一端が繋がり、折り返しが形成される折り返し部と、
前記折り返し部の他端と繋がり、螺旋状に屈曲した第２の螺旋部と、を備え、
前記第１の螺旋部と前記第２の螺旋部は、互いの螺旋構造が噛み合わされた２重螺旋構造を形成している、
ことを特徴とする請求項１に記載の発光管。
【請求項３】
請求項１又は２に記載の発光管と、
前記各直線状管部の電極が形成されている側の端部を固定する固定部と、
前記電極に接続され、前記発光管を点灯させる点灯装置と、
を備えることを特徴とする蛍光ランプ。
【請求項４】
前記発光管を覆うグローブをさらに備える、
ことを特徴とする請求項３に記載の蛍光ランプ。
【発明の詳細な説明】
【技術分野】
【０００１】
本発明は、少なくとも一部に螺旋形状を有する発光管および蛍光ランプに関する。
【背景技術】
【０００２】
従来、放電路を長くするために、螺旋状に形成された発光管を有する蛍光ランプが用いられている。この種の蛍光ランプは、発光管を螺旋状に形成して放電路を長くし、発光面積を拡大しているため、一般の白色熱電球と同一の外形寸法で高出力を得ることができる。
【０００３】
また、発光管の両端部のうち、一方の端部から螺旋状に屈曲して螺旋部を形成し、その螺旋部の先端部から一方の端部に向けてその螺旋部のほぼ中心軸を通る直線状の戻り部を形成し、１本の蛇行状の放電路を形成するようにしたものがある。これにより比較的長い放電路が形成され、ランプ効率を改善している（例えば、特許文献１参照）。
【０００４】
また、２本の直管状の発光管を平行に並べ、各々一方の端部の近傍を互いに連通部で連通し、略Ｈ字状の管状部材を形成する。そして、この略Ｈ字状の管状部材をその長手方向で略二等分するように屈曲して、２つのＵ字状の管状部材を形成する。さらに、２つのＵ字状の管状部材の上端の略中央を頂部として、各Ｕ字状の管状部材をそれぞれ螺旋状に屈曲させて、２重に重なった螺旋状の螺旋状部を有する発光管を形成するようにしたものがある。
【０００５】
或いは、２本の直管状の発光管の各々の一方の端部から螺旋状の管状部材を形成し、その頂部から他方の端部に向かう部分を、螺旋状の管状部材の略中心部を通る直線状の直管部となるようにしたものがある。これにより比較的放電路を長くして所望の光出力を得るとともに、光束立ち上がり特性を改善し、かつ光出力の低下を抑制することができる（例えば、特許文献２参照）。
【０００６】
また、上部に形成された螺旋形状の螺旋形部および下部に形成された直線形状の一対の２本の短放電路部とからなる発光管と、１本のガラスバルブを屈曲して略Ｕ字形状にし、一対の２本の直管状部を有する略Ｕ字形状バルブとからなり、略Ｕ字形状バルブが上記直線状の一対の２本の短放電路部の間に配置され、直線形状の一対の２本の短放電路部のうちの一方の短放電路部の下部と、略Ｕ字形状バルブを構成する一対の２本の直管状部のうちの一方の直管状部の下部とを連結管を介して連通させるようにしたものがある。これにより放電路長を増大させるとともに、輝度ムラを解消している（例えば、特許文献３参照）。
【先行技術文献】
【特許文献】
【０００７】
【特許文献１】特開２００５−３４７２３６号公報
【特許文献２】特開２００６−１１４２２４号公報
【特許文献３】特開２００８−０４７３３８号公報
【発明の概要】
【発明が解決しようとする課題】
【０００８】
このように、発光面積を拡大するためには、発光管を螺旋構造にするなどして放電路を長くする必要があるが、放電路を長くすると発光管の体積が増大し、小型化が困難になるという問題があった。
【０００９】
また、特許文献１の発明では、螺旋部のほぼ中心軸を通る直線状の戻り部は、１本のみであり、螺旋部内側にはまだ余裕があり、螺旋部内側を十分に活用しているとは言えない。
【００１０】
また、特許文献２の発明では、螺旋状に形成された螺旋状部の略中央に２本の直管状の直管部を通すようにしているが、この直管状の直管部の端部はいずれも発光管の電極側とは逆側の端部であり、電極側の２つの端部と合わせて４つの端部を台座に固定しなければならず、構成が複雑になるという問題がある。
【００１１】
また、特許文献３の発明は、螺旋状の発光管とＵ字形状の発光管とを組み合わせたものであり、螺旋状の発光管の中央に直線状の発光管を通したものではないため、部品点数が多くなり、組み立て工程が複雑になるという問題がある。
【００１２】
本発明は、上記問題点に鑑みてなされたものであり、従来の形状や大きさを変えることなく、発光面積を拡大し、光束密度を上げるとともに、全光束効率を高めることができる発光管および蛍光ランプを提供することを目的とする。
【課題を解決するための手段】
【００１３】
上記目的を達成するため、本発明の第１の観点に係る発光管は、１本の管から構成される発光管であって、螺旋状に屈曲した管が折り返されて二重螺旋構造を形成する二重螺旋管部と、前記二重螺旋管部の両端部とそれぞれの一端が繋がり、前記二重螺旋構造の内部を通って直線状に延存し、それぞれの他端には電極が形成されている２本の直線状管部と、を備えることを特徴とする。
【００１４】
上記目的を達成するため、本発明の第２の観点に係る蛍光ランプは、前記発光管と、前記各直線状管部の電極が形成されている側の端部を固定する固定部と、前記電極に接続され、前記発光管を点灯させる点灯装置と、を備えることを特徴とする。
【発明の効果】
【００１５】
本発明によれば、発光面積を拡大し、光束密度を上げ、全光束効率を高めることができる。
【図面の簡単な説明】
【００１６】
【図１】本発明の発光管の一実施の形態の構成例を示す正面図である。
【図２】本発明の発光管の一実施の形態の構成例を示す上面図である。
【図３】本発明の発光管の一実施の形態の構成例を示す下面図である。
【図４】本発明の発光管を用いた電球形蛍光ランプ（Ｄ形）の構成例を示す正面視の縦断面図である。
【図５】本発明の発光管を用いた電球形蛍光ランプ（Ａ形）の構成例を示す正面視の縦断面図である。
【発明を実施するための形態】
【００１７】
以下、本発明の実施の形態について説明する。図１に示すように、本発明の一実施の形態に係る発光管１は、螺旋状に形成されたスパイラル部１ａと、スパイラル部１ａの内部（螺旋状の発光管１で囲まれた円筒状の空間）を通る直線状の２本の直線部１ｂ，１ｃとから構成されている。
【００１８】
この螺旋状の発光管１は、例えば次のような手順で作成することができる。まず、両端部１ｄ，１ｅにそれぞれ電極１ｍ，１ｎが形成された直線状の発光管１を、両端部１ｄ，１ｅが近接するように略中央部で折り返す。折り返した部分を折り返し部１ｆとすると、折り返し部１ｆから端部１ｄまでと、折り返し部１ｆから端部１ｅまではそれぞれ略直線形状となる。
【００１９】
次に、折り返し部１ｆから端部１ｄ，１ｅの方向に発光管１を、２つの螺旋構造が互いに噛み合わされた２重螺旋状に変形させ、スパイラル部１ａを形成する。その後、スパイラル部１ａの内部に両端部１ｄ，１ｅを通し、２本の直線状の直線部１ｂ，１ｃを形成する。
【００２０】
スパイラル部１ａの頭頂部１ｋにおいて、発光管１の直線部１ｂは、スパイラル部１ａの内部に屈曲部１ｇで屈曲されて入り込み、スパイラル部１ａの外側に発光管１の端部１ｄが露出する。同様に、スパイラル部１ａの頭頂部１ｋにおいて、発光管１の直線部１ｃは、スパイラル部１ａの内部に屈曲部１ｈで屈曲されて入り込み、スパイラル部１ａの外側に発光管１の端部１ｅが露出する。
【００２１】
図２は、図１の発光管１を紙面上方向から見た上面図である。図２に示すように、発光管１のスパイラル部１ａの頭頂部１ｋにおいて発光管１を屈曲部１ｇ，１ｈで屈曲させ、電極１ｍ，１ｎが形成されている側の端部１ｄ，１ｅをそれぞれスパイラル部１ａの内部に通し、直線部１ｂ，１ｃを形成している（図１）。
【００２２】
図３は、図１の発光管１を紙面下方向から見た下面図である。図３に示すように、発光管１の折り返し部１ｆで折り返された発光管１は、折り返し部１ｆから螺旋状に変形され、屈曲部１ｇ，１ｈ（図２）で屈曲されてスパイラル部１ａの内部に通される。そして、発光管１の端部１ｄ，１ｅがスパイラル部１ａの内部の略中央部（図３の紙面上下および左右方向において略中央部）において外側（図３の紙面に対して手前側の方向）に露出している。
【００２３】
このように、発光管１は、スパイラル部１ａの内部に直線部１ｂ，１ｃが通され、電極１ｍ，１ｎが設けられた端部１ｄ，１ｅがスパイラル部１ａの内部の略中央部から外側にそれぞれ露出する構造となっている。従って、発光面積が拡大され、光束密度が改善されて全光束効率が向上するとともに、スパイラル部１ａの内部の略中央部にある端部１ｄ，１ｅで発光管１を固定することが可能となる。
【００２４】
また、例えば、次のような手順でも螺旋状の発光管１を作成することができる。まず、両端部１ｄ，１ｅにそれぞれ電極１ｍ，１ｎが形成された直線状の発光管１を、両端部１ｄ，１ｅが近接するように略中央部で折り返す。折り返した部分を折り返し部１ｆとすると、折り返し部１ｆから端部１ｄまでと、折り返し部１ｆから端部１ｅまではそれぞれ略直線形状となる。
【００２５】
次に、頭頂部１ｋ（図１）に対応する部分から発光管１を屈曲させて、端部１ｄから折り返し部１ｆまでの直線部１ｂと、端部１ｅから折り返し部１ｆまでの直線部１ｃを螺旋構造が互いに噛み合わされた２重螺旋状に取り囲むように変形させる。このような手順によっても螺旋状の発光管１を作成することができる。
【００２６】
続いて、発光管１を用いた電球形蛍光ランプ（Ｄ形）１０について、図４を参照して説明する。図４に示すように、電球形蛍光ランプ（Ｄ形）１０は、口金１３と、この口金１３に固定されたカバー１２と、カバー１２内に固定されたホルダ１１と、ホルダ１１に支持された発光管１と、カバー１２内に設けられた点灯装置１４等からなる。
【００２７】
ホルダ１１には、直線部１ｂおよび直線部１ｃを挿入するための挿通孔１５が設けられ、発光管１を固定する。直線部１ｂ，１ｃは、それぞれスパイラル部１ａの内部を通るので、挿通孔１５は、ホルダ１１の中央に形成することができる。挿通孔１５に挿通された直線部１ｂの端部１ｄに形成された電極１ｍおよび直線部１ｃの端部１ｅに形成された電極１ｎは、それぞれ点灯装置１４に接続される。
【００２８】
点灯装置１４から、端部１ｄに形成された電極１ｍおよび端部１ｅに形成された電極１ｎに電力が供給されると、発光管１が発光する。発光管１は、螺旋状のスパイラル部１ａの内部に２本の直線部１ｂ，１ｃが配置された形状となっており、スパイラル部１ａ、直線部１ｂ，１ｃがそれぞれ発光し、発光面積が拡大されている。これにより、光束密度を高めるとともに、全光束効率を向上させることができる。
【００２９】
続いて、発光管１を用いた電球形蛍光ランプ（Ａ形）２０について、図５を参照して説明する。図５に示すように、電球形蛍光ランプ（Ａ形）２０は、図４に示した電球形蛍光ランプ（Ｄ形）１０に、発光管１を覆うグローブ２１を新たに追加した構成となっている。
【００３０】
グローブ２１は、透明または光拡散性を有する乳白色のガラスまたは合成樹脂等からなり、開口部がホルダ１１に固定され、発光管１を覆い発光管１を保護する。
【００３１】
図５に示した電球形蛍光ランプ（Ａ形）２０においても、図４に示した電球形蛍光ランプ（Ｄ形）１０の場合と同様に、点灯装置１４から、端部１ｄに形成された電極１ｍおよび端部１ｅに形成された電極１ｎに電力が供給されると、発光管１が発光する。発光管１は、螺旋状のスパイラル部１ａの内部に２本の直線部１ｂ，１ｃが配置された形状となっており、スパイラル部１ａ、直線部１ｂ，１ｃがそれぞれ発光し、発光面積が拡大されている。これにより、光束密度を高めるとともに、全光束効率を向上させることができる。
【００３２】
さらに、図５に示した電球形蛍光ランプ（Ａ形）２０では、グローブ２１が発光管１を覆っているので、発光管１を保護することができる。また、発光管１が露出していないため、人が発光管１に直接触れることによる火傷等の事故、発光管１が破損することによる事故等の発生を防止することができる。
【００３３】
なお、本発明は上記実施形態に限定されず、種々の変形及び応用が可能である。
【００３４】
例えば、上記実施の形態では、本発明をＡ形とＤ形の電球形蛍光ランプにそれぞれ適用する場合について説明したが、Ｇ形等その他の電球形蛍光ランプにも本発明を適用することができる。
【符号の説明】
【００３５】
１  発光管
１ａ  スパイラル部
１ｋ  頭頂部
１ｂ，１ｃ  直線部
１ｄ，１ｅ  端部
１ｆ  折り返し部
１ｇ，１ｈ  屈曲部
１ｍ，１ｎ  電極
１０  電球形蛍光ランプ（Ｄ形）
１１  ホルダ
１２  カバー
１３  口金
１４  点灯装置
１５  挿通孔
２０  電球形蛍光ランプ（Ａ形）
２１  グローブ
【図１】
2010192176.tif 000003
【図２】
2010192176.tif 000004
【図３】
2010192176.tif 000005
【図４】
2010192176.tif 000006
【図５】
2010192176.tif 000007